【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
受容者に経皮電気治療を施す装置であって、
受容者の皮膚表面を貫通すべく所定の位置に経皮電極を支持するハウジングと、
ハウジングに連結される第１の部分を有する剥離可能な取り付け部材であって、該取り付け部材は、皮膚表面に係合し、該皮膚表面に取り付けるべく、ハウジングとは反対の方向を向いている取り付け表面を持つ第２の部分をさらに有し、該第２の部分は、第１の部分に剥離可能な結合部で結合され、剥離可能な結合部の強度は、第１の部分の引き裂き強度より小さく、且つ第２の部分の引き裂き強度より小さい、剥離可能な取り付け部材と、
を備えることを特徴とする装置。
【請求項２】
取り付け部材の第１及び第２の部分は、互いに一体に形成されており、剥離可能な結合部は、第１及び第２の部分の間に切り取り線を含んでいることを特徴とする請求項１に記載の装置。
【請求項３】
剥離可能な結合部は、第１及び第２の部分の間の線に沿って配列されている複数の連結部分を含み、該連結部分は、隙間のある空間で隔てられていることを特徴とする請求項１に記載の装置。
【請求項４】
剥離可能な結合部は、第１及び第２の部分の間の線に沿って配列されている複数の連結部分を含み、該連結部分は、隙間のある空間で隔てられており、連結部分は、取り付け部材の第１及び第２の部分と一体に形成されていることを特徴とする請求項１に記載の装置。
【請求項５】
取り付け部材は、複数の層を含み、第１の部分は、第１の複数の層を有し、第２の部分は第２の複数の層を有し、剥離可能な結合部は、第３の複数の層を有し、第３の複数の数は、第１の複数の数より小さく、また、第２の複数の数より小さいことを特徴とする請求項１に記載の装置。
【請求項６】
第１の部分は、第１の材料を含み、第２の部分は第２の材料を含み、剥離可能な結合部は第１及び第２の材料とは異なる材料を含んでいることを特徴とする請求項１に記載の装置。
【請求項７】
第１及び第２の材料は同じであることを特徴とする請求項６に記載の装置。
【請求項８】
ハウジングは、経皮電極が配置されている略円筒状の部分を含み、該ハウジングは、半径方向外側に向け、且つ略円筒状の部分の一方の端部の近くに延在するフランジをさらに含み、取り付け部材の第１の部分は、フランジに接着的に結合されており、取り付け部材の第２の部分は、第１の部分から半径方向外側に向けて配置されていることを特徴とする請求項１に記載の装置。
【請求項９】
第１及び第２の部分は、互いに一体に形成され、係合表面に対して略垂直な方向の第１の厚さを有し、剥離可能な結合部は、第１及び第２の部分と一体に形成され、係合表面に対し略垂直な方向の第２の厚さを有し、該第２の厚さは、第１の厚さより薄いことを特徴とする請求項１に記載の装置。
【請求項１０】
ハウジングは、略円筒状の部分を有し、剥離可能な結合部は、略円筒状の部分と同心の略円弧状の結合部を画成していることを特徴とする請求項１に記載の装置。
【請求項１１】
取り付け部材の第２の部分は、取り付け部材の取り付け表面が皮膚表面に係合されている時、皮膚表面から引き離された状態にある非接着性表面を有するツマミを含んでいることを特徴とする請求項１に記載の装置。
【請求項１２】
取り付け部材の第２の部分は、取り付け部材の取り付け表面が皮膚表面に係合されている時、皮膚表面から引き離された状態にある非接着性表面を有するツマミを含み、該非接着性表面は、接着性表面と略同じ平面内にあることを特徴とする請求項１に記載の装置。
【請求項１３】
取り付け表面は、該取り付け表面が皮膚表面と係合されている時、皮膚表面に接着する接着剤を含んでいることを特徴とする請求項１に記載の装置。
【請求項１４】
接着剤に剥離可能に取り付けられているカバー・シートをさらに備えていることを特徴とする請求項１３に記載の装置。
【請求項１５】
取り付け部材は、圧縮性の材料を含んでいることを特徴とする請求項１に記載の装置。
【請求項１６】
経皮電極をさらに備え、該経皮電極は、経皮電極がハウジング内に配置されている第１の位置と経皮電極の少なくとも一部がハウジングの外側にあり、皮膚表面を貫通する第２の位置との間でハウジングに対して移動可能であり、装置は、ハウジングに結合されており、非制限位置と制限位置との間でハウジングに対して移動可能である、停止部材をさらに備え、該停止部材は、電極の軸方向の移動を許容する非制限位置にある時、経皮電極から動作可能なように切り離されており、停止部材は、該停止部材が制限位置にある時、経皮電極の軸方向の移動を少なくとも制限するように配置されていることを特徴とする請求項１に記載の装置。
【請求項１７】
ハウジングが、ケーシングを貫通して延在する開口を有する略円筒状のケーシングを有し、該ハウジングが、少なくとも１つの案内溝を有する装置であって、
経皮電極を支持し、案内溝に受け入れられる少なくとも１つの案内部分を有する摺動部材であって、該摺動部材は、経皮電極がハウジング内に配置されている第１の位置と該経皮電極の少なくとも一部がハウジングの外側にあって皮膚表面を貫通している第２の位置との間で該経皮電極を移動させるべくハウジングに対して移動可能である摺動部材と、
取り付け部材に結合され、非制限位置と制限位置との間でハウジングに対して移動可能である停止部材であって、該停止部材は、第１及び第２の位置間の電極の軸方向の移動を許容する非制限位置にある時摺動部材から自由にされており、該停止部材は、第２の位置から離れた所で経皮電極の移動を少なくとも制限する制限位置にある時摺動部材と軸方向に直列に配置され、該停止部材は、非制限位置と制限位置との間の移動のために人の指により係合されるように配置されているツマミ部分を有し、停止部材は、ケーシングの開口に配置されている係合部分をさらに含み、該係合部分は、停止部材が非制限位置にある時ケーシングと略同じ平面内にあり、該係合部分は、停止部材が制限位置にある時ケーシングの内方に配置され、摺動部材と直列に配置される停止部材と、
をさらに備えていることを特徴とする請求項１に記載の装置。
【請求項１８】
受容者に経皮電気治療を施す装置であって、
受容者の皮膚表面に係合するように配置されている係合表面を有する支持ハウジングと、
支持ハウジングに対して移動可能に支持され、電極が係合表面から第１の距離にある第１の位置と電極が係合表面から離れて第２の距離にある第２の位置との間で、係合表面に向かって及び該係合表面から離れて支持ハウジングに対して移動可能である経皮電極と、
支持ハウジングに連結されている第１の部分を有する取り付け部材であって、該取り付け部材は、皮膚表面と係合すべくハウジングとは反対の方向を向いている接着表面を持つ第２の部分をさらに有し、該第２の部分は、剥離可能な結合部で第１の部分に結合されており、剥離可能な結合部の強度は、第１の部分の強度より小さく、且つ第２の部分の強度より小さく、第１の力が第１の部分に加えられ、第１の力に少なくとも一部が対向する第２の力が第２の部分に加えられると、剥離可能な結合部において優先的に切り離す、取り付け部材と
を備えることを特徴とする装置。
【請求項１９】
取り付け部材の第１及び第２の部分は、互いに一体に形成されており、剥離可能な結合部は、第１及び第２の部分の間に切り取り線を含んでいることを特徴とする請求項１８に記載の装置。
【請求項２０】
剥離可能な結合部は、第１及び第２の部分の間の線に沿って配列されている複数の連結部分を含み、該連結部分は、隙間のある空間で隔てられていることを特徴とする請求項１８に記載の装置。
【請求項２１】
剥離可能な結合部は、第１及び第２の部分の間の線に沿って配列されている複数の連結部分を含み、該連結部分は、隙間のある空間で隔てられており、連結部分は、取り付け部材の第１及び第２の部分と一体に形成されていることを特徴とする請求項１８に記載の装置。
【請求項２２】
支持ハウジングは、経皮電極が配置されている略円筒状の部分を含み、該ハウジングは、略円筒状の部分の一方の端部の近くで該略円筒状の部分から半径方向外側に向けて延在するフランジをさらに含み、該フランジは係合表面を備え、取り付け部材の第１の部分は、フランジに接着的に結合されており、取り付け部材の第２の部分は、第１の部分から半径方向外側に向けて配置されていることを特徴とする請求項１８に記載の装置。
【請求項２３】
取り付け部材の第２の部分は、取り付け部材の接着表面が皮膚表面に取り付けられている時、皮膚表面から引き離された状態にある非接着性表面を有するツマミを含んでいることを特徴とする請求項１８に記載の装置。
【請求項２４】
ハウジングに連結され、非制限位置と制限位置との間でハウジングに対して移動可能な停止部材をさらに備え、該停止部材は、第１及び第２の位置間の電極の軸方向の移動を許容する非制限位置にある時、経皮電極から動作可能なように切り離されており、停止部材は、該停止部材が制限位置にある時、経皮電極が第２の位置から離れて移動することを少なくとも制限するように配置されていることを特徴とする請求項１８に記載の装置。
【請求項２５】
受容者に経皮電気治療を施す装置であって、
受容者の皮膚表面に係合するように配置されている係合表面を有する支持ハウジングと、
支持ハウジングに対して移動可能に支持され、電極が係合表面から第１の距離にある第１の位置と電極が係合表面から離れて第２の距離にある第２の位置との間で、係合表面に向かって及び該係合表面から離れて軸に沿って支持ハウジングに対して移動可能であり、電極が第２の位置にあるときにだけ電極が支持ハウジングに対して軸を横断する方向に移動可能である経皮電極と、
支持ハウジングに連結されている第１の部分を有する取り付け部材であって、該取り付け部材は、皮膚表面と係合すべくハウジングとは反対の方向を向いている接着表面を持つ第２の部分をさらに有し、該第２の部分は、剥離可能な結合部で第１の部分に結合されており、剥離可能な結合部の強度は、第１の部分の強度より小さく、且つ第２の部分の強度より小さく、逆向きの力が第１及び第２の部分に加えられると、剥離可能な結合部において優先的に切り離す、取り付け部材と、
を備えることを特徴とする装置。
【請求項２６】
取り付け部材の第１及び第２の部分は、互いに一体に形成されており、剥離可能な結合部は、第１及び第２の部分の間に切り取り線を含んでいることを特徴とする請求項２５に記載の装置。
【請求項２７】
支持ハウジングは、経皮電極が配置されている略円筒状の部分を含み、該ハウジングは、略円筒状の部分の一方の端部の近くで該略円筒状の部分から半径方向外側に向けて延在するフランジをさらに含み、該フランジは係合表面を備え、取り付け部材の第１の部分は、フランジに接着的に結合されており、取り付け部材の第２の部分は、第１の部分から半径方向外側に向けて配置されていることを特徴とする請求項２５に記載の装置。
【請求項２８】
接着部材の第２の部分は、取り付け部材の接着表面が皮膚表面に取り付けられている時、皮膚表面から引き離された状態にある非接着性表面を有するツマミを含んでいることを特徴とする請求項２５に記載の装置。
【請求項２９】
ハウジングに結合され、非制限位置と制限位置との間でハウジングに対して移動可能な停止部材をさらに備え、該停止部材は、第１及び第２の位置間の電極の軸方向の移動を許容すべく非制限位置にある時、経皮電極から動作可能なように切り離されており、停止部材は、該停止部材が制限位置にある時、経皮電極が第２の位置から離れて移動することを少なくとも制限するように配置されていることを特徴とする請求項２５に記載の装置。
【請求項３０】
ハウジングが台座及び収納シリンダを有する装置であって、
収納シリンダに配置され、軸の周りに回転可能なスリーブと、
軸に平行で且つ軸からずれている所定位置に、経皮電極を支持している摺動部材であって、軸に沿ってスリーブ及びハウジングに対して摺動可能である摺動部材と、
をさらに備えていることを特徴とする請求項２５に記載の装置。
【請求項３１】
受容者に経皮電気治療を施す装置であって、
軸方向を画成しているケーシングを有する支持ハウジングであって、ケーシングが、受容者の皮膚表面に係合すべく配置されている、一方の端部に係合表面を有する、支持ハウジングと、
支持ハウジングに対して移動可能に支持され、係合表面から第１の距離にある第１の位置と第１の距離より大きい係合表面から第２の距離にある第２の位置との間で、係合表面に向かって及び該係合表面から離れて軸方向に支持ハウジングに対して移動可能である経皮電極と、
ハウジングに結合され、非制限位置と制限位置との間でハウジングに対して移動可能な停止部材であって、該停止部材は、第１及び第２の位置間の電極の軸方向の移動を許容すべく非制限位置にある時、経皮電極から動作可能なように切り離されており、停止部材は、該停止部材が制限位置にある時、経皮電極が第２の位置から離れて移動することを少なくとも制限するように配置されている、停止部材と、
を備えることを特徴とする装置。
【請求項３２】
ハウジングのケーシングは、ケーシングを貫通して延在する開口を持つ略円筒形の形状を有し、経皮電極は、第１と第２の位置の間で経皮電極を移動させるべくハウジングに対して移動可能である摺動部材により支持され、ハウジングは、皮膚表面に係合するように配置されている接着部材を含み、さらに、停止部材は、接着部材に連結され、人の指が係合するように配置されているツマミ部分を含み、停止部材は、ケーシングの開口に配置されている係合部分をさらに含み、該係合部分は、停止部材が非制限位置にある時、ケーシングと略同じ平面内にあり、係合部分は、停止部材が制限位置にある時、ケーシングの内側に配置され、且つ摺動部材と軸方向に直列に配置されることを特徴とする請求項３１に記載の装置。
【請求項３３】
停止部材が制限位置にあり、停止部材が制限位置から離れて移動することを少なくとも制限している時、停止部材の係合部分の外側に面している表面は、ケーシングの内側に面している表面より内側に配置され、且つ該内側に面している表面に重なっていることを特徴とする請求項３２に記載の装置。
【請求項３４】
経皮電極は、摺動部材により支持され、摺動部材は、軸に沿ってハウジングに対して移動可能であり、さらに、停止部材は、該停止部材が非制限位置にある時摺動部材から外されており、停止部材が制限位置にある時摺動部材の軸方向の移動を少なくとも制限するように配置されていることを特徴とする請求項３１に記載の装置。
【請求項３５】
受容者に経皮電気治療を施す装置であって、
受容者の皮膚表面を貫通すべく、所定の位置に経皮電極を支持するハウジングと、
ハウジングとは最初別体である取り外し可能な取り付け部材であって、該取り付け部材は、ハウジングに接着すべく位置決めされた接着性の上部表面を持つ第１の部分を有し、取り付け部材は、皮膚表面に係合するための上部表面とは反対方向を向いている接着性の下部表面を持つ第２の部分をさらに有し、第２の部分は、剥離可能な結合部で第１の部分に結合され、剥離可能な結合部の引き裂き強度は、第１の部分の引き裂き強度よりも小さく、且つ第２の部分の引き裂き強度よりも小さい取り外し可能な取り付け部材と、
を備えていることを特徴とする装置。
【請求項３６】
上部表面は、第１の接着部を有し、下部表面は第２の接着部を有し、第１の接着部は、ハウジングとの第１の結合部を形成するように構成され、第２の接着部は、皮膚表面との第２の結合部を形成するように構成され、第２の結合部は、第１の結合部より弱いことを特徴とする請求項３５に記載の装置。
【請求項３７】
上部表面に取り外し可能に取り付けられている第１の剥離可能なカバー及び下部表面に取り外し可能に取り付けられている第２の剥離可能なカバーをさらに備えていることを特徴とする請求項３５に記載の装置。
【請求項３８】
取り付け部材の第１及び第２の部分は、互いに一体に形成されており、剥離可能な結合部は、第１及び第２の部分の間に切り取り線を含んでいることを特徴とする請求項３５に記載の装置。
【請求項３９】
支持ハウジングは、経皮電極が配置されている略円筒状の部分を含み、ハウジングは、略円筒状の部分の一方の端部の近くで略円筒状の部分から半径方向外方に延在するフランジをさらに含み、取り付け部材の第１の部分は、フランジに接着的に結合するように形作られており、取り付け部材の第２部分は、第１の部分から半径方向外方に配置されていることを特徴とする請求項３５に記載の装置。
【請求項４０】
ハウジングは、略円筒状の部分を有し、剥離可能な結合部は、略円筒状の部分と同軸の略円弧状の結合部を画成していることを特徴とする請求項３５に記載の装置。
【請求項４１】
経皮電極をさらに備え、該経皮電極は、経皮電極がハウジング内に配置されている第１の位置と皮膚表面を貫通すべく経皮電極の少なくとも一部がハウジングの外側にある第２の位置との間でハウジングに対して移動可能であり、装置は、ハウジングに結合され、非制限位置と制限位置との間でハウジングに対して移動可能である、停止部材をさらに備え、停止部材は、電極の軸方向の移動を許容する非制限位置にある時経皮電極から動作可能なように切り離されており、停止部材は、該停止部材が制限位置にある時経皮電極の軸方向の移動を少なくとも制限するように配置されていることを特徴とする請求項３５に記載の装置。
【請求項４２】
経皮電極を使い捨てにする適用方法であって、
受容者の皮膚表面に隣接してハウジングを配置すること、
ハウジングの取り付け部分を受容者の皮膚表面に結合すること、
ハウジングに対して且つ受容者の皮膚表面を貫通して電極を移動させることにより経皮電極を配備すること、
電極を皮膚表面からハウジング内に引き込むこと、
ハウジングを皮膚表面から取り除き、取り付け部分を同じ又は異なる受容者に少なくとも実質的に再度取り付けできないようにすること、
を備えていることを特徴とする方法。
【請求項４３】
ハウジングを取り除くことが、取り付け部分を皮膚表面から引き離すことを含み、さらに、皮膚表面から取り付け部分を引き離すことと、取り付け部分の再取り付けの可能性を実質的に減少させることと同時に起こることを特徴とする請求項４２に記載の方法。
【請求項４４】
ハウジングの取り付け部分を皮膚表面に結合することが、接着表面を皮膚表面に係合することを含み、該接着表面は、ハウジングに結合されていることを特徴とする請求項４２に記載の方法。
【請求項４５】
ハウジングを取り除くことが、切り取り線に沿って、取り付け部分の第１の部分を取り付け部分の第２の部分から切り離し、第２の部分と皮膚表面との間の接着性結合部を引き離すことを含んでいることを特徴とする請求項４２に記載の方法。
【請求項４６】
ハウジングを取り除くことが、第１の部分の厚さよりも薄く且つ第２の部分の厚さよりも薄い材料の厚さを有する線に沿って、取り付け部分の第１の部分を取り付け部分の第２の部分から切り離し、第２の部分と皮膚表面との間の接着性結合部を引き離すことを含んでいることを特徴とする請求項４２に記載の方法。
【請求項４７】
取り付け部材の第１の部分は、第１の数のパイルを有し、取り付け部材の第２の部分は第２の数のパイルを有し、取り付け部材の第１の部分を取り付け部材の第２の部分から少なくとも一部引き離すことが、第３の数のパイルを有する取り付け部材の剥離可能な結合部分において取り付け部材を引き裂くことを含み、第３の数は、第１の数よりも小さく且つ第２の数よりも小さいことを特徴とする請求項４２に記載の方法。
【請求項４８】
取り付け部材の第１の部分は、第１の材料を含み、取り付け部材の第２の部分は、第２の材料を含み、取り付け部材の第１の部分を取り付け部材の第２の部分から少なくとも一部引き離すことが、第１の材料よりも弱く且つ第２の材料よりも弱い材料を有する取り付け部材の剥離可能な結合部分において取り付け部材を引き裂くことを含んでいることを特徴とする請求項４２に記載の方法。
【請求項４９】
同じ又は異なる受容者の皮膚表面に再度入る経皮電極の可能性を少なくとも実質的に減少させるべく経皮電極が引き込められた後、該経皮電極の軸方向の移動を少なくとも制限する停止部材を配置することをさらに備えていることを特徴とする請求項４２に記載の方法。
【請求項５０】
取り付け部分は、略平坦な取り付け平面を最初画成し、ハウジングを取り除くことが、取り付け部分の少なくとも一部を取り付け平面から外し、取り付け部分の一部が取り付け平面に戻る動きを制限することを含んでいることを特徴とする請求項４２に記載の方法。
【請求項５１】
取り付け部分は、保護カバーを有する接着表面を含み、方法は、ハウジングの取り付け部分を受容者の皮膚表面に結合する前に、保護カバーを取り除くことをさらに含んでいることを特徴とする請求項４２に記載の方法。
【請求項５２】
受容者に経皮電極ハウジングを提供する方法であって、
ハウジングは、経皮電極を収容できるように構成されており、ハウジングは、該ハウジングに取り付けられる第１の部分と、接着性表面を有する第２の部分とを持つ取り付け部材をさらに有しており、受容者の皮膚表面に隣接してハウジングを配置すること、
ハウジングの係合表面を皮膚表面に係合させること、
取り付け部材の接着性表面を皮膚表面に接着すること、
接着性表面と皮膚表面との間の接着性結合部を分断し、取り付け部材の第１の部分を取り付け部材の第２の部分から少なくとも部分的に切り離すことによりハウジングを皮膚表面から取り外すこと、
を備えていることを特徴とする方法。
【請求項５３】
第１の部分を第２の部分から少なくとも部分的に切り離すことは、切り取り線に沿って取り付け部材を引き裂くことを含んでいることを特徴とする請求項５２に記載の方法。
【請求項５４】
第１の部分を第２の部分から少なくとも部分的に切り離すことは、第１の部分の厚さよりも薄く、且つ第２の部分の厚さよりも薄い厚さを有する領域で取り付け部材を引き裂くことを含んでいることを特徴とする請求項５２に記載の方法。
【請求項５５】
受容者に経皮電極ハウジングを提供する方法であって、
取り付け部材の下部表面を受容者の皮膚表面に接着的に結合すること、
ハウジングを取り付け部材の上部表面に接着的に結合すること、
取り付け部材と皮膚表面との間の接着性結合部を分断し、取り付け部材の第１の部分を取り付け部材の第２の部分から少なくとも部分的に切り離すことによりハウジングを皮膚表面から取り除くこと、
を備えていることを特徴とする方法。
【請求項５６】
取り付け部材の下部表面と皮膚表面との間の結合部よりも強い、取り付け部材の上部表面とハウジングとの間の結合部を形成することをさらに備えていることを特徴とする請求項５５に記載の方法。
【請求項５７】
第１の部分を第２の部分から少なくとも部分的に切り離すことは、切り取り線に沿って取り付け部材を引き裂くことを含んでいることを特徴とする請求項５５に記載の方法。
【請求項５８】
経皮電極ハウジングを受容者に剥離可能に取り付ける方法であって、
経皮電極を支持するハウジングの表面に接着剤を配置すること、
ハウジングの表面を受容者の皮膚表面に接着的に結合すること、
皮膚表面及びハウジングの表面の少なくとも一方の接着剤に化学的剥離剤を配置し、皮膚表面及びハウジングの表面の少なくとも一方を他方から引き離すことにより、ハウジングを皮膚表面から取り除くこと、
を備えていることを特徴とする方法。
【請求項５９】
シアノアクリレートを含むように接着剤を選択することをさらに備えていることを特徴とする請求項５８に記載の方法。
【請求項６０】
アセトンを含むように科学的剥離剤を選択することをさらに備えていることを特徴とする請求項５８に記載の方法。
【請求項６１】
経皮電極を使い捨てにする適用方法であって、
ハウジングを受容者の皮膚表面に隣接して配置すること、
ハウジングの取り付け部分を受容者の皮膚表面に取り付けること、
経皮電極をハウジングに対し移動させ、受容者の皮膚表面を貫通して移動させることにより経皮電極を配備すること、
経皮電極を皮膚表面からハウジング内に引き込め、経皮電極が同じ又は異なる患者の皮膚表面を貫通して再度配備する可能性を少なくとも制限すること、
を備えていることを特徴とする方法。
【請求項６２】
ハウジングを受容者の皮膚表面から取り除くことをさらに備えていることを特徴とする請求項６１に記載の方法。
【請求項６３】
経皮電極は、摺動部材を有するハウジングに対して支持され、摺動部材は、電極がハウジング内に配置されている第１の位置と電極が受容者の皮膚表面を貫通して配備されている第２の位置との間で、ハウジングに対して移動可能であり、経皮電極が再度配備する可能性を少なくとも制限することが、摺動部材が第１の位置にある時、摺動部材が第１の位置から離れる動きを少なくとも制限するために、停止部材を摺動部材と軸方向に直列に配列することを含んでいることを特徴とする請求項６１に記載の方法。
【請求項６４】
経皮電極は、摺動部材を有するハウジングに対して支持され、摺動部材は、電極がハウジング内に配置されている第１の位置と電極が受容者の皮膚表面を貫通して配備されている第２の位置との間で、ハウジングに対して移動可能であり、取り付け部材を皮膚表面に取り付けることが、取り付け部材の接着表面を皮膚表面に接着的に結合することを含み、さらに、経皮電極が再度配備する可能性を少なくとも制限することが、摺動部材が第１の位置にある時、摺動部材が第１の位置から離れる動きを少なくとも制限するために、取り付け部材に連結されている停止部材の第１の部分を移動させ、接着表面の少なくとも一部を皮膚表面から持ち上げ、停止部材の第２の部分を摺動部材と係合させることを特徴とする請求項６１に記載の方法。
【請求項６５】
取り付け部材は、接着表面を含み、ハウジングを受容者の皮膚表面に取り付けることが、接着表面を皮膚表面と係合させることを含んでいることを特徴とする請求項６１に記載の方法。
【請求項６６】
取り付け部材は、受容者の皮膚表面に取り外し可能に結合されている接着表面を含み、方法は、ハウジングに連結されている取り付け部分の第１の部分を接着表面を有する取り付け部分の第２の部分から切り離すことにより、ハウジングを受容者の皮膚表面から取り外すことをさらに備えていることを特徴とする請求項６１に記載の方法。
【請求項６７】
１回限りの使用のために構成されている経皮電極を再利用する方法であって、
受容者の皮膚表面に隣接してハウジングを配置すること、
ハウジングの取り付け部分を受容者の皮膚表面に結合すること、
ハウジングに対して電極を移動させ、受容者の皮膚表面を貫通して移動させることにより、経皮電極を配備すること、
電極を皮膚表面からハウジング内に引き込めること、
ハウジングを皮膚表面から取り外し、取り付け部分が同じ又は異なる受容者に再取付する可能性を少なくとも実質的に減少させること、
取り付け部分を同じ又は異なる受容者に再取り付けすること、
を備えていることを特徴とする方法。
【請求項６８】
取り付け部分は、接着表面を含み、取り付け部分を結合することが、接着表面を受容者の皮膚表面と係合させることを含んでいることを特徴とする請求項６７に記載の方法。
【請求項６９】
取り付け部分は、受容者の皮膚表面に取り外し可能に結合されている接着表面を含み、ハウジングを取り外すことが、取り付け部分の第１の部分を取り付け部分の第２の部分から部分的に切り離すことを含み、さらに、取り付け部分を皮膚に再取り付けすることが、取り付け部分の第１の部分を取り付け部分の第２の部分に連結することを含んでいることを特徴とする請求項６７に記載の方法。
【請求項７０】
取り付け部分は、受容者の皮膚表面に取り外し可能に結合されている接着表面を含み、ハウジングを取り外すことが、取り付け部分の第１の部分を取り付け部分の第２の部分から部分的に切り離すことを含み、さらに、取り付け部分を皮膚に再取り付けすることが、取り付け部分の第２の部分をハウジングに連結することを含んでいることを特徴とする請求項６７に記載の方法。
【請求項７１】
１回限りの使用のために構成されている経皮電極を再利用する方法であって、
受容者の皮膚表面に隣接してハウジングを配置すること、
ハウジングを皮膚表面に取り付けること、
ハウジングに対して電極を移動させ、受容者の皮膚表面を貫通して移動させることにより、経皮電極を配備すること、
電極を皮膚表面からハウジング内に引き込めること、
同じ又は異なる受容者内に電極を少なくとも実質的に再配備できないようにすること、
同じ又は異なる受容者内に電極を再配備すること、
を備えていることを特徴とする方法。
【請求項７２】
ハウジングは、経皮電極を支持し、電極を配備するためにハウジングに対して軸に沿って摺動可能な摺動部材を含み、再配備すべく電極を少なくとも実質的に再配備できないようにすることが、ハウジングに対して停止部材を非制限位置から制限位置まで移動させるとともに、停止部材は、摺動部材の制限位置における軸に沿う動きを少なくとも制限することを含み、さらに、電極を再配備することが、停止部材を制限位置から離れて移動させることを含んでいることを特徴とする請求項７１に記載の方法。
【手続補正２】
【補正対象書類名】明細書
【補正対象項目名】００２１
【補正方法】変更
【補正の内容】
【００２１】
図４は、図１及び３に示される台座の実施態様の頂部投影図である。図５は、図１及び３に示されるスリーブ１０８の実施態様の底部投影図である。さて、図４及び５を参照すると、台座１０４は、スリーブ１０８を回転可能に受け入れるような大きさに作られている中空の収納シリンダ４０２を含み得る。収納シリンダ４０２は、溝壁４０７により画成され、スリーブ１０８の対応するスリーブ位置決め用タブ５０２を受け入れるような大きさに作られている、複数の台座用軸方向溝４０６を持つ内面４０４を有し得る。この実施態様の１つの形態では、スリーブ１０８は、２つの相対するスリーブ位置決め用タブ５０２（その１つが図５に認められる。）を含み得る。また、台座１０４は、２対の相対向する軸方向溝４０６を含み得る。別の実施態様においては、スリーブ１０８は、異なる数のスリーブ位置決め用タブ５０２を持っていてもよいし、及び／又は、台座１０４は、異なる数の軸方向溝４０６を持っていてもよい。いずれの実施態様においても、医療実務者は、スリーブ外枠３０６の周りに配列されたツマミ５０４を把持し、時計回りに又は反時計回りにスリーブ１０８をねじり、スリーブ位置決め用タブ５０２を一対の台座用軸方向溝４０６から隣の一対の台座用軸方向溝４０６に強制的に入れることにより、台座１０４に対してスリーブ１０８を回転することができる。
【手続補正３】
【補正対象書類名】明細書
【補正対象項目名】００２５
【補正方法】変更
【補正の内容】
【００２５】
１つの実施態様において、組立用治具６００は、摺動子１１０の対応する環状溝６０４に取り外し自在に受け入れられる薄い壁のシリンダ６０２を含んでいる。組立用治具６００は、また、摺動子１１０の対応する杭用溝６０８に受け入れられる２つの組立用杭６０６（その１つが図６に認められる。）を含み得る。各杭用溝６０８は、軸方向部分６１０と横方向部分６１２を含み得る。横方向部分６１２は、組立用杭６０６を受け入れるように形作られている湾曲した上面６１４を有し得る。組立用治具６００を摺動子１１０と係合させるために、装着者は、組立用治具６００の組立用杭６０６を杭用溝６０８の軸方向部分６１０と一直線上に揃える。装着者は、次に、組立用治具６００を摺動子１１０の環状溝６０４内に沈める。組立用杭６０６が杭用溝６０８の軸方向部分６１０の底に達すると、装着者は、組立用杭６０６が杭用溝６０８の横方向部分６１２の時計回り端部に達するまで、組立用治具６００を時計回りに回転させる。装着者は、次に、組立用治具６００への下向きの圧力を解除し、バネ２１０が杭用溝６０８の上面６１４に対して組立用杭６０６を上向に偏倚させ、摺動子１１０を治具６００と係合状態に維持することを可能にする。この実施態様の１つの形態において、各組立用杭６０６は、以下に説明されるように、摺動子１１０のスリーブ１０８内への動きを邪魔しないように、摺動子１１０の外面６２０と面一となるか、又はへこまされている。
【手続補正４】
【補正対象書類名】明細書
【補正対象項目名】００２７
【補正方法】変更
【補正の内容】
【００２７】
スリーブ１０８の外枠３０６は、各開口６１６とスリーブの軸方向案内溝５０８の１つの対応する上部部分５１２との間に延在する横方向案内溝６２２を有し得る。各横方向案内溝６２２は、溝床６２４により部分的に画成され、摺動子１１０の反時計回りの回転を制限する回転止め６２６を含んでいる。横方向案内溝６２２は、縁６１５から横方向案内溝６２２内に軸方向下方に延在し、摺動子１１０の回転運動を制限するスリーブ回転制限体６２７をさらに含み得る。スリーブ軸方向制限体６２８が、外枠３０６から軸方向下方にずらされ、半径方向内側に延在し、案内部材６１８に係合し、摺動子１１０の軸方向の移動を制限する。したがって、以下に詳細に説明されるように、スリーブ回転制限体６２７は、摺動子１１０の摺動子回転制限体６３０と協働し、スリーブ軸方向制限体６２８は、摺動子１１０の摺動子軸方向制限体６３２と協働する。
【手続補正５】
【補正対象書類名】明細書
【補正対象項目名】００２８
【補正方法】変更
【補正の内容】
【００２８】
摺動子１１０及び組立用治具６００が開口６１６内に沈められると、組立用杭６０６は、スリーブ外枠３０６の横方向案内溝６２２に受け入れられる。この時、組立用杭６０６の一方は、（図６に点線で提示される）位置“Ａ”にある。案内部材６１８もまた、組立用杭６０６に隣接して横方向案内溝６２２内に位置する。装着者が組立用治具６００を時計回りに回転させると、摺動子回転制限体６３０が、回転止め６２６の傾斜した斜面６３４を通り越し、次に、スリーブ回転制限体６２７に対して所定の位置にカチッと音を立ててはまる。組立用杭６０６は、今、位置“Ｂ”にある。摺動子１１０の杭用溝６０８の軸方向部分６１０は、開口６１６と直線状に整列されている。回転止め６２６の後面６３６は、平坦であり、摺動子回転制限体６３０に直接対面しているので、摺動子１１０は、回転止め６２６を過ぎて反時計回りに回転することが妨げられている。この時点で、摺動子回転制限体６３０は、スリーブ回転制限体６２７と係合し、摺動子軸方向制限体６３２は、外枠３０６の直下のスリーブ軸方向制限体６２８の上面に沿って進行する。摺動子１１０は、いまや、ハウジング１０２に装着され、組立用治具６００は、該治具６００をわずかに押し下げ、組立用杭６０６を杭用溝６０８の上面６１４から外すことにより、取り除かれる。装着者は、次に、組立用杭６０６が位置“Ａ”にある杭用溝６０８の軸方向部分６１０と直線状に整列されるまで、組立用治具６００を反時計回りに回転させ、摺動子１１０及びハウジング１０２から離れて組立用治具６００を持ち上げる。この実施態様の１つの形態において、装着されている摺動子１１０を有するハウジング１０２は、いま、別体の作動子２００とともに、最終使用者又は医療実務者に提供され得る。
【手続補正６】
【補正対象書類名】明細書
【補正対象項目名】００４９
【補正方法】変更
【補正の内容】
【００４９】
図１３は、発明の別の実施態様による、受容者の皮膚表面１３３０に剥離可能に連結されている適用装置１３００の部分的概略投影図である。この実施態様の１つの形態において、適用装置１３００は、フランジ１３０５を有するハウジング１３０２を含み得る。医療実務者は、剥離可能な接着剤１３０６を、例えば、エアスプレー式又はポンプ連射スプレー式塗布器１３２０でフランジ１３０５の下部表面に塗布し得る。次に、医療実務家は、フランジ１３０５を皮膚表面１３３０に係合し得る。適用装置１３００を皮膚表面１３３０から取り除くために、医療実務者は、剥離材１３２５をフランジ１３０５と皮膚表面１３３０との間の結合部に又は該結合部の近くに配することができる。例えば、医療実務者は、スプレー式塗布器１３２０で剥離剤１３２５の噴霧を展開し得る。１つの実施態様において、接着剤１３０６は、シアノアクリレートすなわちシアノアクリル酸エステルのような接着剤を含み得る。また、剥離剤１３２５は、アセトンを含み得る。別の実施態様において、接着剤１３０６及び剥離剤１３２５は、その他の化学組成物を含んでいてもよい。これらの実施態様のいずれにおいても、適用装置１３００と皮膚表面１３３０との間の接着性結合部を化学的に剥離することの利点は、その技法が受容者の皮膚１３３０に機械的力をほとんど加え得ないことにある。このことは、鋭敏な皮膚を有する受容者にとってより快適であり得る。
【手続補正７】
【補正対象書類名】明細書
【補正対象項目名】００５１
【補正方法】変更
【補正の内容】
【００５１】
図１４Ｂは、図１４Ａを参照して上で説明された適用装置１４００の部分的に概略の側部断面図である。図１４Ｂに示されるように、適用装置１４００は、経皮プローブ１４１２を有する摺動子１４１０を含み得る。摺動子１４１０は、ハウジング１４０２に対して摺動可能（及び、必要に応じて、回転可能）であり、上で説明されたやり方と略同様なやり方で、経皮プローブ１４１２を配備し及び引っ込める。この実施態様の１つの形態において、チューブの開口１４２０の下端縁１４３０は、下方に向かって傾けられており、係合部分１４２６の上端縁１４２８に平行であり得る。この実施態様のさらなる形態において、下端縁１４３０の最も内側の点１４３２は、上端縁１４２８の最も上の点１４３４より低い所に位置している。したがって、図１５Ａ及び図１５Ｂを参照して以下に詳細に説明されるように、下端縁１４３０は、上端縁１４２８を選択された位置で固定することができる。